(57)【要約】      （修正有）【課題】車両のシート上に取り付けるテーブルにおいて、水平度を出し易く、安定にする。【解決手段】リアレッグ１３を有しシート座面に置かれるベースプレート１１と、後部で前記リアレッグとヒンジ結合され、左右のフランジ２８、２８に前後方向に所定の間隔を置いて複数のピンを突き出したテーブルプレート１２と、先端にピンはめ合わせ口３４を切り欠き、ベースプレートのブラケット２２、２３に根元をヒンジ結合し、テーブルプレートの複数のピンの中で対応するピンにはめ合わせ口を選択的にはめ合わせて、リアレッグ１３に協働してテーブルプレート１２を水平に支持可能にする左右のフロントレッグ１４、１５と、ベースプレートから後方に突き出され、シート左右のチャイルドシートアンカー６２、６３に取り外し可能にかみ合わせられてシートクッション上にベースプレートを固定する左右のチャイルドシートロック１６、１７とを含む。【選択図】        図２
2004249929.tif 000002
【特許請求の範囲】
【請求項１】
所定の長さおよび幅を有し、そして、ベース上面の後側にリア・レッグを所定の高さに固定的に立ち上げてチャイルド・シート・アンカー付きシートのシート・クッションの座面に置かれるベース・プレートと、所定の方形のプレート周囲からテーブル下面にフロントおよびリア・フランジおよび左右のサイド・フランジを突き出し、プレート・リアの中央部分にレッグはめ合わせ口を切り欠き、その左右のサイド・フランジのそれぞれの前側部分でフランジ内側面に前後方向に所定の間隔を置いて複数のピンを突き出し、そして、そのレッグはめ合わせ口にそのリア・レッグのトップをはめ合わせてそのリア・レッグにヒンジ結合されるテーブル・プレートと、先端にピンはめ合わせ口を切り欠き、そのベース・プレートのそのベース上面の前側に突き出される左右のブラケットに根元を対応的にヒンジ結合し、そして、その左右のサイド・フランジのその複数のピンの中でその対応するピンにそのピンはめ合わせ口を選択的にはめ合わせてそのリア・レッグに協働してそのベース・プレートにそのテーブル・プレートを水平に支持可能にする左右のフロント・レッグと、そのベース・プレートのベース下面の後側に固定的に取り付けられてそのベース・プレートから後方に突き出され、そして、そのシートのその左右のチャイルド・シート・アンカーに取り外し可能にかみ合わせられてそのシート・クッション上にそのベース・プレートを固定する左右のチャイルド・シート・ロックとを含む自動車シートに用いるテーブル。
【発明の詳細な説明】
【０００１】
【発明の関係する分野】
この発明は、自動車シートに用いるテーブルに関し、特に、チャイルド・シート・アンカー付きシートに用いるテーブルに関する。
【０００２】
【背景技術】
従来、乗用車、ワゴン、およびバンなどのチャイルド・シート・アンカー付きリア・シートに用いるテーブルは、シート座面にフロント・レッグをのせる構造を採るので、シート座面の傾斜角度や形状によってテーブルの水平度の確保が難しく、加えて、シート・クッションが比較的に柔らかいので、安定し難しい。
【０００３】
【発明の課題】
この発明の課題は、水平度が出し易く、そして、安定するところのチャイルド・シート・アンカー付き自動車シートに用いるテーブルの提供にある。
【０００４】
【課題に相応する手段およびそれの作用】
この発明は、所定の長さおよび幅を有し、そして、ベース上面の後側にリア・レッグを所定の高さに固定的に立ち上げてチャイルド・シート・アンカー付きシートのシート・クッションの座面に置かれるベース・プレートと、所定の方形のプレート周囲からテーブル下面にフロントおよびリア・フランジおよび左右のサイド・フランジを突き出し、プレート・リアの中央部分にレッグはめ合わせ口を切り欠き、その左右のサイド・フランジのそれぞれの前側部分でフランジ内側面に前後方向に所定の間隔を置いて複数のピンを突き出し、そして、そのレッグはめ合わせ口にそのリア・レッグのトップをはめ合わせてそのリア・レッグにヒンジ結合されるテーブル・プレートと、先端にピンはめ合わせ口を切り欠き、そのベース・プレートのそのベース上面の前側に突き出される左右のブラケットに根元を対応的にヒンジ結合し、そして、その左右のサイド・フランジのその複数のピンの中でその対応するピンにそのピンはめ合わせ口を選択的にはめ合わせてそのリア・レッグに協働してそのベース・プレートにそのテーブル・プレートを水平に支持可能にする左右のフロント・レッグと、そのベース・プレートのベース下面の後側に固定的に取り付けられてそのベース・プレートから後方に突き出され、そして、そのシートのその左右のチャイルド・シート・アンカーに取り外し可能にかみ合わせられてそのシート・クッション上にそのベース・プレートを固定する左右のチャイルド・シート・ロックとを含み、そして、チャイルド・シートがそのシートに固定されてないとき、そのシートのそのシート・クッションのその左右のチャイルド・シート・アンカーにその左右のチャイルド・シート・ロックをかみ合わせてそのシート・クッションのその座面にそのベース・プレートを固定し、その左右のサイド・フランジのその複数のピンの中でその対応するピンにその左右のフロント・レッグのそのピンはめ合わせ口を選択的にはめ合わせ、そのリア・レッグにその左右のフロント・レッグを協働させてそのベース・プレートにそのテーブル・プレートを支持させ、そして、そのシートのそのシート・クッション上にそのテーブル・プレートを水平に保って利用する。
【０００５】
【具体例の説明】
以下、特定されて図示された具体例に基づいて、この発明の自動車シートに用いるテーブルを説明するに、図１ないし図６は、乗用車のリア・シート５０に活用されるところのこの発明の自動車シートに用いるテーブルの具体例１０を示し、そのリア・シート５０が、シート・クッション５１、左右のシート・バック５２、５３、センター・バック５４、および左右のヘッドレスト５５、５６などから組み立てられ、そして、その左右のシート・バック５２、５３に対応してそのシート・クッション・リア５７において座面５８からそのシート・バック・ボトム５９、５９の左右のチャイルド・シート・ロック差込み溝６０、６１および６０、６１に左右のチャイルド・シート・アンカー６２、６３および６２、６３を突き出しているので、そのテーブル１０では、ベース・プレート１１が所定の長さおよび幅の長方形を有し、そして、ベース上面１８の後側に所定の高さのリア・レッグ１３を固定的に立ち上げてそのリア・シート５０のそのシート・クッション５１のその座面５８に置かれ、また、テーブル・プレート１２が、所定の方形のプレート周囲からテーブル下面２５にフロントおよびリア・フランジ２６、２７および左右のサイド・フランジ２８、２８を突き出し、プレート・リア２４の中央部分にレッグはめ合わせ口２９を切り欠き、その左右のサイド・フランジ２８、２８のそれぞれの前側部分でフランジ内側面３０、３０に前後方向に所定の間隔を置いて複数のピン３１を突き出し、そして、そのレッグはめ合わせ口２９にそのリア・レッグ１３のトップをはめ合わせてシャフト３１でそのリア・レッグ１３にヒンジ結合され、さらに、左右のフロント・レッグ１４、１５が、先端にピンはめ合わせ口３４を切り欠き、そのベース・プレート１１のそのベース上面１８の前側に突き出される左右のブラケット２２、２３に根元を対応的にヒンジ結合し、そして、その左右のサイド・フランジ２８、２８のその複数のピン３２の中でその対応するピン３２、３２にそのピンはめ合わせ口３４、３４を選択的にはめ合わせてそのリア・レッグ１３に協働してそのベース・プレート１１にそのテーブル・プレート１２を水平に支持可能し、またさらに、左右のチャイルド・シート・ロック１６、１７が、そのベース・プレート１１のベース下面１９の後側に固定的に取り付けられてそのベース・プレート１１から後方に突き出され、そして、そのリア・シート５０のその左右のチャイルド・シート・アンカー６２、６３に取り外し可能にかみ合わせられてそのシート・クッション５１上にそのベース・プレート１１を固定する。
【０００６】
そのベース・プレート１１は、左右のリア・コーナーに開口２０、２１を穴明けし、そして、そこでそのチャイルド・シート・ロック１６、１７を操作可能にしている。また、このベース・プレート１１は、左右のフロント・コーナーにおいてそのベース上面１８に突き出されるその左右のブラケット２２、２３にその左右のフロント・レッグ１４、１５の根元をボルト・ピン−ナットでヒンジ結合する。そのボルト・ピン−ナットは、頭付きピン−Ｅリングであってもかまわない。
【０００７】
そのテーブル・プレート１２は、前側に左右のカップ立て穴３３、３３を明けてカップ立て可能にしている。
【０００８】
その左右のチャイルド・シート・ロック１６、１７は、図５および図６に示されたように，ケーシング３５、操作窓３７付きリッド３６、フック・プレート３８、フック・ピン３９、ロック・スプリング４０、操作レバー４２付きリリース・スライダー４１、ロック・プレート４３、スライダー・スプリング４４、およびスプリング・ピン４５などから組み立てられる。
【０００９】
したがって、そのテーブル１０は、チャイルド・シートがそのリア・シート５０に固定されてないとき、そのリア・シート５０においてその左のシート・バック５２に対応するそのシート・クッション５１のその左右のチャイルド・シート・アンカー６２、６３にその左右のチャイルド・シート・ロック１６、１７をかみ合わせてそのシート・クッション５１のその座面５８にそのベース・プレート１１を固定し、その左右のサイド・フランジ２８、２８のその複数のピン３２の中でその対応するピン３２、３２にその左右のフロント・レッグ１４、１５のそのピンはめ合わせ口３４、３４を選択的にはめ合わせ、そのリア・レッグ１３にその左右のフロント・レッグ１４、１５を協働させてそのベース・プレート１１にそのテーブル・プレート１２を支持させ、そして、そのリア・シート５０のそのシート・クッション５１上にそのテーブル・プレート１２を水平に保って利用可能にする。そのテーブル１０は、その左右のフロント・レッグ１４、１５によって水平度が出し易くなり、そして、そのシート・クッション５１のその比較的柔らかい座面５８に影響されずに安定もする。
【００１０】
先に図面を参照して説明されたところのこの発明の特定された具体例から明らかであるように、この発明の属する技術分野における通常の知識を有する者にとって、この発明の内容は、その発明の性質（ｎａｔｕｒｅ）および本質（ｓｕｂｓｔａｎｃｅ）に由来し、そして、それらを内在させると客観的に認められる別の態様に容易に具体化される。勿論、この発明の内容は、その発明の課題に相応し（ｂｅ  ｃｏｍｍｅｎｓｕｒａｔｅ  ｗｉｔｈ）、そして、その発明の成立に必須である。
【００１１】
【発明の便益】
上述から理解されるように、この発明の自動車しーとに用いるテーブルは、所定の長さおよび幅を有し、そして、ベース上面の後側にリア・レッグを所定の高さに固定的に立ち上げてチャイルド・シート・アンカー付きシートのシート・クッションの座面に置かれるベース・プレートと、所定の方形のプレート周囲からテーブル下面にフロントおよびリア・フランジおよび左右のサイド・フランジを突き出し、プレート・リアの中央部分にレッグはめ合わせ口を切り欠き、その左右のサイド・フランジのそれぞれの前側部分でフランジ内側面に前後方向に所定の間隔を置いて複数のピンを突き出し、そして、そのレッグはめ合わせ口にそのリア・レッグのトップをはめ合わせてそのリア・レッグにヒンジ結合されるテーブル・プレートと、先端にピンはめ合わせ口を切り欠き、そのベース・プレートのそのベース上面の前側に突き出される左右のブラケットに根元を対応的にヒンジ結合し、そして、その左右のサイド・フランジのその複数のピンの中でその対応するピンにそのピンはめ合わせ口を選択的にはめ合わせてそのリア・レッグに協働してそのベース・プレートにそのテーブル・プレートを水平に支持可能にする左右のフロント・レッグと、そのベース・プレートのベース下面の後側に固定的に取り付けられてそのベース・プレートから後方に突き出され、そして、そのシートのその左右のチャイルド・シート・アンカーに取り外し可能にかみ合わせられてそのシート・クッション上にそのベース・プレートを固定する左右のチャイルド・シート・ロックとを含むので、この発明の自動車シートに用いるテーブルでは、シート座面の傾斜角度や形状にかかわらず水平度が出し易くなってその水平度が確保され、そして、そのシート・クッションの比較的柔らかい座面に影響されずに安定され、その結果、乗用車、ワゴン、およびバンなどにとって非常に有用で実用的である。
【図面の簡単な説明】
【図１】乗用車のリア・シートに活用されるところのこの発明の自動車シートに用いるテーブルの具体例を示した斜視図である。
【図２】そのテーブルを分解して示した分解斜視図である。
【図３】図１の３−３線に沿って示した断面図である。
【図４】図３の４−４線に沿って示した断面図である。
【図５】チャイルド・シート・ロックをロックオフの状態で示した縦断面図である。
【図６】そのチャイルド・シート・ロックをロックオンの状態で示した縦断面図である。
【符号の説明】
１１  ベース・プレート
１２  テーブル・プレート
１３  リア・レッグ
１４  左のフロント・レッグ
１５  右のフロント・レッグ
１６  左のチャイルド・シート・ロック
１７  右のチャイルド・シート・ロック
１８  ベース上面
１９  ベース下面
２４  プレート・リア
２５  テーブル下面
２６  フロント・フランジ
２７  リア・フランジ
２８  左右のサイド・フランジ
２９  レッグはめ合わせ口
３０  フランジ内側面
３２  ピン
３４  ピンはめ合わせ口
５０  リア・シート
５１  シート・クッション
５２  左のシート・バック
５３  右のシート・バック
５７  シート・クッション・リア
５８  座面
５９  シート・バック・ボトム
６０  左のチャイルド・シート・ロック差込み溝
６１  右のチャイルド・シート・ロック差込み溝
６２  左のチャイルド・シート・アンカー
６３  右のチャイルド・シート・アンカー
【図１】
2004249929.tif 000003
【図２】
2004249929.tif 000004
【図３】
2004249929.tif 000005
【図４】
2004249929.tif 000006
【図５】
2004249929.tif 000007
【図６】
2004249929.tif 000008